(57)【要約】      （修正有）【課題】就寝者が身体を動かしたり寝返りを打ったりしても掛け布団が身体から外れたり身体の一部が布団からはみ出すことのない布団カバーを提供する。【解決手段】敷布団と掛け布団を覆う一組の敷布団カバー２、掛け布団カバー３で構成し、敷布団カバー２、掛け布団カバー３はそれぞれ敷布団、掛け布団の外形に略等しく、それらを収納できる矩形袋状に形成する。敷布団カバー２の両側縁には枕が置かれる部分の幅方向側縁を除く両側縁全体にオープンファスナーのエレメント列を取り付けた一方のファスナーテープ１０ａ，１０ｂを取り付け、掛け布団カバー３は横幅を敷布団カバー２の横幅より広く形成して両側縁に敷布団カバー２側のエレメント列と噛合する他方のファスナーテープ１１ａ，１１ｂを取り付ける。就寝の際はオープンファスナーを閉じて二つのカバーを結合させる。【選択図】図３
0003186905.tif 000002
【実用新案登録請求の範囲】
【請求項１】
敷布団と掛け布団を覆う一組の敷布団カバー、掛け布団カバーからなる布団カバーであって、
前記敷布団カバー、掛け布団カバーはそれぞれ敷布団、掛け布団の外形に略等しく、それらを収納できる大きさの矩形袋状に形成され、
前記敷布団カバーの両側縁には枕が置かれる部分の幅方向側縁を除く両側縁全体にオープンファスナーの一方のエレメント列を端縁に取り付けた一方のファスナーテープが取り付けてあり、
前記掛け布団カバーは横幅を前記敷布団カバーの横幅より広く形成してその両側縁にはスライダーにより前記一方のエレメント列と噛合・分離される他方のエレメント列を端縁に取り付けた他方のファスナーテープが就寝者の頭部側の端から足先方向に向けて取り付けてあることを特徴とする布団カバー。
【請求項２】
請求項１に記載の布団カバーにおいて、前記掛け布団カバーに取り付けるエレメント列を端縁に取り付けたファスナーテープは、両側端縁に取り付けるのに代えて、掛け布団カバーの下側で両側端よりも中央寄りの位置に取り付けてあることを特徴とする布団カバー。
【考案の詳細な説明】
【技術分野】
【０００１】
本考案は、敷布団と掛け布団を覆う一組の敷布団カバー、掛け布団カバーからなる布団カバーに関する。
【背景技術】
【０００２】
就寝者の身体の下に敷く敷布団、就寝者の身体の上に掛ける掛け布団は汚れが付き易い。加えて、それらは袋体に充填剤を詰めたものであるため、汚れた場合の洗濯は面倒な作業になる。このため汚れが直接付くのを防ぎ、付いた場合には容易に洗えるよう敷布団、掛け布団は通常、敷布団カバー、掛け布団カバーを掛けて使用される。掛け布団は就寝者の身体を外気から断熱してその体温を適温に保持することを目的として使用される。ところが、就寝者が就寝中に身体を動かしたり寝返りを打ったりすると、掛布団の端がめくり上がって敷布団との間に大きな隙間が生じたり、身体から外れて身体の一部が露出したりする。その結果、布団内温度が低下し、身体が冷えたり風邪を引いたりする原因になる。
【０００３】
こうした問題を解決するため、就寝者が寝返りを打ったとしても掛け布団が身体から外れないように工夫した布団が各種、提案されている。例えば、特許文献１には、敷布団カバーの両側面と掛布団カバーの両側面に所定の間隔を置いて２枚の小切れを逢着し、一方にボタンを、他方にボタン穴をあけておいて着脱を行なう布団カバーが提案されている。しかし、ボタンによる着脱は面倒であるし、寝返りの際にはボタン部に大きな力が働くためボタンは外れる心配がある。また、２個所に取り付けられた小切れと小切れ間では、敷布団カバーと掛布団カバーは結合されていないため隙間が生ずる問題もある。
【０００４】
また、特許文献２には、布団カバー本体を表地と裏地とから構成し、表地の後端部の左右両隅に一対の三角形状係合部を設け、その斜辺部を除く周縁を布団カバー本体１の後端部周縁に縫着する。そして、各係合部を布団カバー本体の裏地側に折り返し、各係合部と裏地との間に敷布団の後端部を挿入することにより布団カバー本体が敷布団に対して位置ずれしないようにした布団カバーが提案されている。しかし、三角形状係合部に敷布団の後端部を挿入しておくだけでは大きな寝返りをした場合に布団カバーが敷布団から外れる心配がある。
【先行技術文献】
【特許文献】
【０００５】
【特許文献１】実用新案登録第３０７３４６０号公報
【特許文献２】特開平９−２３４１４７号公報
【考案の開示】
【考案が解決しようとする課題】
【０００６】
本考案は、従来技術のこうした問題点を解決するためになされたもので、その課題は、就寝者が身体を動かしたり寝返りを打ったりしても掛け布団が身体から外れたり身体の一部が布団からはみ出すことのない布団カバーを提供することにある。
【課題を解決するための手段】
【０００７】
前記課題を解決するための請求項１に記載の考案は、敷布団と掛け布団を覆う一組の敷布団カバー、掛け布団カバーからなる布団カバーであって、敷布団カバー、掛け布団カバーはそれぞれ矩形の敷布団、掛け布団の外形に略等しく、それらを収納できる大きさの袋状に形成され、敷布団カバーの両側縁には就寝者の頭部が位置する部分の幅方向側縁を除く両側縁全体にオープンファスナーの一方のエレメント列を端縁に取り付けた一方のファスナーテープが取り付けてあり、掛け布団カバーは横幅を敷布団カバーの横幅より広く形成してその両側縁にはスライダーにより一方のエレメント列と噛合・分離される他方のエレメント列を端縁に取り付けた他方のファスナーテープが就寝者の頭部側の端から足先方向に向けて取り付けてあることを特徴とする布団カバーである。
【０００８】
このような構成の布団カバーによれば、敷布団カバーと掛け布団カバーとがオープンファスナーにより連結されているので就寝者が寝返りしたり身体を動かしたりしても掛布団の端がめくり上がったり、身体から外れて身体の一部が露出したりすることが防止される。布団カバーが汚れた場合は、オープンファスナーの噛合を解除させて敷布団カバーと掛け布団カバーを切り離し、カバー内の布団を取り出してカバーのみを洗濯することができる。
【０００９】
また、請求項２に記載の考案は、請求項１に記載の布団カバーにおいて、掛け布団カバーに取り付けるエレメント列を端縁に取り付けたファスナーテープは、両側端縁に取り付けるのに代えて、掛け布団カバーの下側で両側端よりも中央寄りの位置に取り付けてあることを特徴とする布団カバーである。
【００１０】
このような構成によれば、掛け布団カバーと敷布団カバーを結合させているオープンファスナー部分も掛け布団で覆われるので保温効果が高まる。また、就寝状態の見栄えもよくなる。
【図面の簡単な説明】
【００１１】
【図１】本考案に係る敷布団カバー２と掛け布団カバー３の平面図である。
【図２】敷布団カバー２側と掛け布団カバー３側のファスナーテープを結合させないで単に重ねた状態の平面図である。
【図３】敷布団カバー２側と掛け布団カバー３側のファスナーテープを結合させた状態の平面図である。
【図４】図３のＡ−Ａ線に沿った断面図である。
【図５】オープンファスナーの構造図である。
【図６】第２の実施形態に係る敷布団カバー２ａと掛け布団カバー３ａの平面図である。
【図７】敷布団カバー２ａ側と掛け布団カバー３ａ側のファスナーテープを結合させた状態の平面図である。
【図８】図７のＢ−Ｂ線に沿った断面図である。
【考案を実施するための形態】
【００１２】
以下、本考案に係る布団カバーの構成例について実施形態に分けて説明する。
（第１の実施形態）
図１の（１）は本実施形態の布団カバー１を構成する敷布団カバー２の平面図、図１の（２）は掛け布団カバー３の平面図である。敷布団カバー２、掛け布団カバー３は収納する敷布団、掛け布団の大きさに合わせた矩形袋状に形成されている。就寝者の足元側の縁部５、６は、収納する敷布団、掛け布団の出し入れのためファスナーを取り付けて開閉可能にしてある。
【００１３】
図１の（１）に示す敷布団カバー２の平面図中の点線矩形部分８は就寝者の枕が置かれる部分である。敷布団カバー２の枕が置かれる部分の幅方向側縁を除く両側縁全体には、オープンファスナーの一方のエレメント列（務歯列）を端縁に取り付けた一方のファスナーテープ１０ａ、１０ｂが取り付けてある。一方、掛け布団カバー３は敷布団カバー２より横幅が広く形成してある。これは、敷布団カバー２は就寝者の身体の下に水平に敷かれるのに対して、掛け布団カバー３は敷布団カバー２の上に横たわる就寝者の盛り上がった身体表面を覆うもので、掛けた状態では敷布団カバー２と掛け布団カバー３の両側縁の位置が揃うようにするためである。
【００１４】
そして、掛け布団カバー３の両側縁には、敷布団カバー２のファスナーテープ１０ａ、１０ｂに噛合するエレメント列（務歯列）を端縁に取り付けた他方のファスナーテープ１１ａ、１１ｂが取り付けてある。ファスナーテープ１１ａ、１１ｂは、敷布団カバー２の就寝者頭部側となる端から取り付けてある。図２は、敷布団カバー２側のファスナーテープ１０ａ、１０ｂと掛け布団カバー３側のファスナーテープ１１ａ、１１ｂのエレメント列を噛合させないで、単に両カバー２、３を重ねた状態の平面図である。
【００１５】
就寝する際は、図３に示すように敷布団カバー２側のファスナーテープ１０ａ、１０ｂと掛け布団カバー３側のファスナーテープ１１ａ、１１ｂに取り付けてあるエレメント列をスライダーで噛合させて敷布団カバー２と掛け布団カバー３を結合させる。この状態で、２つのカバー２、３の間に身体をもぐり込ませて就寝する。図４は、図３のＡ−Ａ線に沿った断面図である。
【００１６】
図５は、オープンファスナーの公知の構造図である。コード（細い組紐）が端に縫いつけられた一対のファスナーテープ１０にエレメントと呼ばれる金属片が等間隔に植えつけられている。このエレメントが並んだ一対のエレメント列１５をスライダー１６でもって互いに噛合させたり、噛合を解除させたりして開閉する。片側のエレメント列の端に取り付けられている蝶棒１７をスライダー１６から引き抜くと、左右のファスナーテープ１０は完全に解放された状態になる。ファスナーテープ１０ａ、１０ｂ、１１ａ、１１ｂは、縫いつけで敷布団カバー２、掛け布団カバー３に取り付ける。
【００１７】
このような構成の布団カバーによれば、敷布団カバー２と掛け布団カバー３とがオープンファスナーにより連結されているので、就寝者が寝返りしたり身体を動かしたりしても掛布団の端がめくり上がったり、身体から外れて身体の一部が露出したりすることが防止される。布団カバーが汚れた場合は、オープンファスナーの噛合を解除させて敷布団カバー２と掛け布団カバー３を切り離し、カバー内の布団を取り出してカバーのみを洗濯することができる。
【００１８】
（第２の実施形態）
図６の（１）は第２の実施形態の布団カバー１ａを構成する敷布団カバー２ａの平面図、図６の（２）は掛け布団カバー３ａの平面図である。敷布団カバー２ａは第１の実施形態の敷布団カバー２と同じ構成である。本実施形態の掛け布団カバー３ａは、図１の（２）に示した第１の実施形態の掛け布団カバー３よりも横幅を広く形成してある。そして、ファスナーテープ１１ａ、１１ｂは、掛け布団カバー３の下側で両側端よりも中央寄りの位置に取り付けてある。
【００１９】
図７は、敷布団カバー２ａ側のファスナーテープ１０ａ、１０ｂと掛け布団カバー３ａ側のファスナーテープ１１ａ、１１ｂを結合させ、敷布団カバー２ａと掛け布団カバー３ａの間に身体をもぐり込ませて就寝している状態の平面図である。図８は図７のＢ−Ｂ線に沿った断面図である。
【００２０】
この場合も敷布団カバー２ａと掛け布団カバー３ａとがオープンファスナーにより連結されているので、就寝者が寝返りしたり身体を動かしたりしても掛布団の端がめくり上がったり、身体から外れて身体の一部が露出したりすることが防止される。また、敷布団カバー２ａと掛け布団カバー３ａを結合させているオープンファスナー部分も掛け布団で覆われるので、保温効果が高まる上、就寝状態の見栄えもよくなる。
【符号の説明】
【００２１】
図面中、１は布団カバー、２、２ａは敷布団カバー、３、３ａは掛け布団カバー、１０、１０ａ、１０ｂ、１１ａ、１１ｂはファスナーテープ、１５はエレメント列、１６はスライダーを示す。
【図１】
0003186905.tif 000003
【図２】
0003186905.tif 000004
【図３】
0003186905.tif 000005
【図４】
0003186905.tif 000006
【図５】
0003186905.tif 000007
【図６】
0003186905.tif 000008
【図７】
0003186905.tif 000009
【図８】
0003186905.tif 000010